(57)【特許請求の範囲】
【請求項１】
側面部（１）に額縁材（２）を取り付けるための溝（３）を有する少なくとも二体の枠材（４）、および上記枠材（４）に取り付けられる断面Ｌ字型の額縁材（２）、および上記枠材（４）の端部をＬ字型に突き合わせる形で上記枠材（４）同士を接続する枠接続部材（８）とからなり、上記枠接続部材（８）には接続されるそれぞれの上記枠材（４）の形状に対応する上記枠材（４）の裏面に位置付けられる支持片（５）および上記支持片（５）の側端から延出されているとともに上記枠材（４）の溝（３）の内側面（６）を巻き込むように形成された固定片（７）が設けられており、上記枠接続部材（８）を上記枠材（４）の溝（３）に取り付けた後に額縁材（２）を上記枠材（４）の溝（３）に取り付けた時、上記枠接続部材（８）の固定片（７）が上記額縁材（２）によって隠蔽されることを特徴とする枠体セット。
【請求項２】
二体の枠材（４）が、それぞれ幅寸法の異なる枠材であることを特徴とする請求項１に記載の枠体セット。
【発明の詳細な説明】
【０００１】
【発明の属する技術分野】
本発明は額縁材が取り付けられる溝を有する枠材と上記枠材同士を接続する枠接続部材から構成される枠体セットに関するものである。
【０００２】
【発明が解決しようとする課題】
従来、枠材と枠材の端部同士をねじなどを用いて接続する場合、たとえば縦枠材と横枠材とを適宜位置にてそれぞれの端部を直交させ建具枠を形成するには上記縦枠材と上記横枠材のそれぞれの枠材の一方の側面部が下になるように横向きに倒し、上記縦枠材と上記横枠材とを直交させてそれぞれの端部同士を突き合わせ、ねじ等で固定していたが上記縦枠材と上記横枠材とを固定する作業をする際に上記縦枠材と上記横枠材が動いてしまい、正しい位置で上記枠材同士を接合するのが困難であるという欠点があった。また、上記縦枠材と上記横枠材の幅がそれぞれ異なる場合には幅寸法の小さい方の枠材を持ち上げるなどして幅寸法の大きい方の枠材との位置関係を調整する必要があり、上記枠材同士を固定するための作業時間が非常に長くなるという問題点があった。
【０００３】
【発明を解決するための手段】
本発明は第１発明として側面部に額縁材を取り付けるための溝を有する少なくとも二体の枠材、および上記枠材の溝に取り付けられる断面Ｌ字型の額縁材、および上記枠材の端部をＬ字型に突き合わせる形で上記枠材同士を接続する枠接続部材とからなり、上記枠接続部材には接続されるそれぞれの上記枠材の形状に対応する上記枠材の裏面に位置付けられる支持片および上記支持片の側端から延出されているとともに上記枠材の溝の内側面を巻き込むように形成された固定片が設けられており、枠接続部材を上記枠材の溝に取り付けた後に額縁材を上記枠材の溝に取り付けた時、枠接続部材の固定片が上記額縁材によって隠蔽されることを特徴とする枠体セット、また、第２発明として第１発明の具体的実施態様に係り、二体の枠材が、それぞれ幅寸法の異なる枠材であることを特徴とする枠体セットに係るものである
【０００４】
【発明の実施の形態】
図１は本発明の一実施形態に係る建具枠を形成するものとして使用される枠体セットの一構成部材である枠接続部材の斜視図である。図２は図１の枠接続部材の背面図。図３は図１の枠接続部材が取り付けられた状態の建具枠の要部斜視図、図４は図１の枠接続部材によって接続された枠材の溝に額縁材が取り付けられた建具枠の正面図である。
【０００５】
上記建具枠９を構成する一部材である上記枠接続部材８について説明する。上記枠接続部材８は枠材４同士の端部が直交させられて成る建具枠９を形成する場合に使用されるものであり、略Ｌ字型形状となされている。上記枠接続部材８はそれぞれの枠材４が嵌装されるための枠嵌装口１２がそれぞれ一箇所ずつ形成されている。上記枠嵌装口１２は上記枠材４の幅寸法に対応して形成された支持片５と上記枠材４の裏面部側端付近から側面部１の溝３の内側面に沿って上記側面部１を被覆するように延出された固定片７から形成されている。縦枠材として使用される上記枠材４が嵌装される嵌装口１２を構成する上記支持片５の横寸法は１１６ｍｍであり、縦寸法は１００ｍｍである。また、厚み寸法は３ｍｍである。また、横枠材として使用される上記枠材４が嵌装される嵌装口１２を構成する上記支持片５の横寸法は１０６ｍｍであり、縦寸法は１００ｍｍ、厚み寸法は３ｍｍである。また、上記支持片５の端面から内側角部１０までの寸法は２５ｍｍである。これらの寸法は上記枠接合部材８が使用される建具枠９のそれぞれの上記枠材４の寸法に対応させて形成されており、それぞれの上記枠材４の寸法が上述したものと異なるものを使用する場合にはそれぞれの構成片の寸法がこれに対応する枠接続部材を使用する必要がある。上記枠接続部材８の支持片５にはそれぞれ二箇所ずつねじ孔１５が形成されているが、上記ねじ孔１５の位置や数などはこれに限定されるものではない。また、上記枠接続部材８と枠材４とを固定する手段としてねじの他に例えば上記枠接続部材８の内面に鋭角の小突起を数個設けて滑り止めとし、上記枠接続部材８から上記枠材４が抜けないようにすることも考えられる。また、上記枠接続部材８は金属製であるが強度的に問題がなければ何を使用しても構わない。
【０００６】
次に上記枠接続部材８が使用される建具枠９を構成するそれぞれの枠材４について説明する。まず縦枠材として使用される枠材４について説明する。上記枠材４は長さ寸法２，０１０ｍｍ、幅寸法１１０ｍｍ、厚み寸法３０ｍｍの合板基材の表面に突板を貼着したものを使用している。上記枠材４の側面部１には額縁材２を取り付けるための幅寸法１２ｍｍの溝３が上記枠材４の長手方向に対して平行に形成されている。
【０００７】
次に横枠材として使用される上記枠材４について説明する。上記枠材４は長さ寸法６５０ｍｍ、幅寸法１００ｍｍ、厚み寸法３０ｍｍの合板基材の表面に突板を貼着したものを使用している。上記枠材４の側面部１には額縁材２を取り付けるための幅寸法１２ｍｍの溝３が上記枠材４の長手方向に対して平行に形成されている。
【０００８】
それぞれの上記枠材４に使用される材としては上述したものに限定される必要はなく、たとえばＭＤＦ（中質繊維板）基材の表面に和紙などからなる化粧シ−トを貼着したものなど様々なものが考えられる。また、それぞれの上記枠材４の寸法も同様、上述したものに限定される必要はなく、適宜必要に応じて決定すればよいが上記枠接続部材８の寸法に対応しているものでなければならない。
【０００９】
次に上記建具枠９の構成方法および設置方法について説明する。まず上記枠材４のそれぞれの端部を上記枠接続部材８の嵌装口１２内にそれぞれ嵌装し、上記枠材４のそれぞれの端部が直交するようにそれぞれの上記枠材４を位置付ける。上記枠接続部材８に形成された固定片７はそれぞれの上記枠材４の溝３に引掛かるように延出されている。上記固定片７によって上記枠材１１は位置付けされ仮固定されるため施工時間が大幅に短縮できるという利点がある。上記枠材４をそれぞれ上記枠接続部材８の嵌装口１２に嵌装した後、上記枠接続部材８の支持片５の表面に形成されたねじ孔１５からねじを通し上記枠材４を枠接続部材８に固定する。上述した方法で建具枠９を構成した後、壁１４の開口内に上記建具枠９を取り付け、額縁材２をそれぞれの上記枠材４の溝３にそれぞれ嵌合して固定すれば上記建具枠９の構成作業および壁開口内への設置作業は完了する。上記溝３には上記枠接続部材８が取り付けられたことによって上記枠接続部材８の固定片７の厚み分だけその幅が小さくなる箇所ができるため上記額縁材２の取付部（図示せず）の一部を上記固定片７の厚みに合わせて切り欠いておく必要がある。上記建具枠９は三方枠と成されており上記建具枠９の隅部二箇所に上記枠接続部材８が取り付けられているが、上記建具枠９は四方枠であっても構わない。その場合、上記枠接続部材８は上記建具枠９の隅部四箇所に取り付ければよい。
【００１０】
図５は固定片が枠材の裏面部側端付近から上記固定片に近い側の溝の内側面までを被覆するように延出された枠接続部材の斜視図である。また、図６は上記枠接続部材を使用して枠材を接続した状態を示す建具枠の要部斜視図であり、図７は上記枠接続部材によって接続された枠材の溝に額縁材が取り付けられた建具枠の正面図である。上記枠接続部材８を使用して枠材４を接続した後、上記枠材４の溝３内に額縁材２を取り付ければ上記額縁材２によって枠接続部材８の固定片７が隠蔽されるため見苦しくならないという利点がある。
【００１１】
図８は固定片の内側角部が面取り形状と成されている枠接続部材の斜視図である。枠材４を枠接続部材８によって接続した後に額縁材２を取り付ける時、上記固定片７の角に当てて上記額縁材２を破損することなく上記枠材４の溝３内に簡単に上記額縁材２を取り付けることができるようにするために上記固定片７の内側角部１０は面取り形状となされている。なお、上記固定片７の内側角部１０は略半円形状に面取りされているが略台形状でも構わない。また、上記固定片７には長方形状の空間部１６が形成されており、上記空間部１６を形成することによって上記枠接続部材８を製造する際に上記枠接続部材８の材料である金属の使用量を極力抑えることができる。上記空間部１６は上記枠接続部材８自体の強度を失ったり、また、枠材４を仮固定できなくなったりしない限りどのような形状であっても構わない。
【００１２】
【発明の効果】
請求項１の発明によれば枠材を枠接続部材を使用してＬ字型に接続した後に枠材の溝に額縁材を取り付けることによって枠接続部材の固定片を隠蔽するという構成であるため上記枠接続部材が枠体の表面に露呈せず、見苦しさがなくなる。
【００１３】
また、請求項２の発明によれば枠材の幅がそれぞれ異なっていても全く問題なく枠材同士の位置決めが簡単にできる。
【図面の簡単な説明】
【図１】建具枠を構成する枠体セットの一部材として使用される枠接続部材の斜視図。
【図２】図１の枠接続部材の背面図。
【図３】図１の枠接続部材によって枠材が接続された状態を示す建具枠の要部斜視図。
【図４】図１の枠接続部材によって接続された枠材の溝に額縁材が取り付けられた建具枠の正面図。
【図５】固定片が枠材の裏面部側端付近から上記固定片に近い側の溝の内側面までを被覆するように延出された枠体セットの一部材として使用される枠接続部材の斜視図。
【図６】図５の枠接続部材によって枠材が接続された状態を示す建具枠の要部斜視図。
【図７】図５の枠接続部材によって接続された枠材の溝に額縁材が取り付けられた建具枠の正面図。
【図８】内側角部が面取り形状と成されている枠体セットの一部材として使用される枠接続部材の斜視図。
【符号の説明】
１  側面部
２  額縁材
３  溝
４  枠材
５  支持片
６  内側面
７  固定片
８  枠接続部材
【図１】
0003887077.tif 000002
【図２】
0003887077.tif 000003
【図３】
0003887077.tif 000004
【図４】
0003887077.tif 000005
【図５】
0003887077.tif 000006
【図６】
0003887077.tif 000007
【図７】
0003887077.tif 000008
【図８】
0003887077.tif 000009